(57)【要約】【課題】特定の色範囲に含まれるカラー画素データについて色補正を行う際に、色段差が生じないようにする。【解決手段】入力するカラー画素データの画質補正を行い、前記カラー画素データで決まる色が特定の色範囲にあるとき、前記画質補正済みのカラー画素データを再度補正して色補正を行う際に、前記カラー画素データで決まる色が前記特定の色範囲にあるとき、第１の補正係数Ａ１を用いて再度色補正を行い、前記特定の色範囲に隣接する色範囲にあるとき、前記第１の補正係数Ａ１に比較して補正効果が小さい第２の補正係数Ａ２を用いて再度色補正を行う。【選択図】  図１
2008153846.tif 000002
【特許請求の範囲】
【請求項１】
入力するカラー画素データの画質補正を行い、該画質補正の前又は後のカラー画素データで決まる色が特定の色範囲にあるとき、前記画質補正済みのカラー画素データを再補正して色補正を行うカラー画像補正方法であって、
前記画質補正の前又は後のカラー画素データで決まる色が前記特定の色範囲にあるときに、第１の再補正を行い、前記特定の色範囲に隣接する色範囲にあるときに、前記第１の再補正に比較して補正効果が小さい第２の再補正を行うことを特徴とするカラー画像補正方法。
【請求項２】
入力するカラー画素データの画質補正を行い、該画質補正の前又は後のカラー画素データで決まる色が特定の色範囲にあるとき、前記画質補正済みのカラー画素データを再度補正して色補正を行うカラー画像補正方法であって、
前記画質補正の前又は後の前記カラー画素データで決まる色が無彩色又はこれに近い色範囲であるときは、前記特定の色範囲にあるときであっても、前記再補正を行わないことを特徴とするカラー画像補正方法。
【請求項３】
入力するカラー画素データの画質補正を行う第１補正部と、該第１補正部の入力側又は出力側のカラー画素データを入力して該カラー画素データで決まる色が特定の色範囲に含まれるとき第１の検出信号を出力する色範囲検出部と、該色範囲検出部が前記第１の検出信号を出力したとき前記第１補正部から出力するカラー画素データを補正する第２補正部とを備えるカラー画像補正装置であって、
前記色範囲検出部は、さらに、前記第１補正部の入力側又は出力側のカラー画素データで決まる色が前記特定の色範囲に隣接するとき第２の検出信号を出力し、
前記第２補正部は、前記色範囲検出部が前記第１の検出信号を出力したときに、前記第１補正部から出力するカラー画素データに第１の再補正を行い、前記色範囲検出部が前記第２の検出信号を出力したとき、前記第１の再補正よりも補正効果の小さい第２の再補正を行うことを特徴とするカラー画像補正装置。
【請求項４】
入力するカラー画素データの画質補正を行う第１補正部と、該第１補正部の入力側又は出力側のカラー画素データを入力して該カラー画素データで決まる色が特定の色範囲に含まれるとき第１の検出信号を出力する色範囲検出部と、該色範囲検出部が前記第１の検出信号を出力したとき前記第１補正部から出力するカラー画素データを補正する第２補正部とを備えるカラー画像補正装置であって、
前記色範囲検出部は、さらに、前記第１補正部の入力側又は出力側のカラー画素データで決まる色が無彩色又はこれに近い色範囲に含まれるとき、第３の検出信号を出力し、
前記第２補正部は、前記色範囲検出部が前記第１の検出信号を出力したときであっても、前記色範囲検出部が前記第３の検出信号を出力したときには、前記第２補正部による再補正を行わないことを特徴とするカラー画像補正装置。
【発明の詳細な説明】
【技術分野】
【０００１】
本発明は、画質補正されたカラー画素データを再度補正して色補正を行うカラー画像補正方法および補正装置に関するものである。
【背景技術】
【０００２】
通常各々が８ビットでその濃度（輝度レベル）が表されるカラー画素データＲ，Ｇ，Ｂは、そのカラー画像を表示しあるいは印刷するために、表示装置あるいは印刷装置の特性に応じて画質補正（例えば、特許文献１参照）が行われる。
【０００３】
この画質補正では、通常、補正特性が予め書き込まれたＬＵＴ（ルックアップテーブル）が使用され、これにカラー画素データを入力させることにより、濃度変換された所望のカラー画素データを出力させることができる。この場合、通常では、Ｒ，Ｇ，Ｂの各カラー画素データについて個々に補正が行われる。
【０００４】
また、補正を行ったカラー画素データに更に補正を加える手法が提案されている（例えば、特許文献２参照）。これによれば、１個のベースＬＵＴから読み出された画素データに対してＲ，Ｇ，Ｂ毎に異なるゲインを乗算して補正を加えることにより、Ｒ，Ｇ，Ｂの各カラー画素データの補正を行うことができる。
【０００５】
ところが、上記手法はベースＬＵＴに予め決めた一定の係数を乗算するものであり、任意の色について所望の補正を行うことはできなかった。
【０００６】
そこで本発明者は、予め決めた特定の色範囲に含まれるカラー画素データについて色補正ができるようにしたカラー画像補正装置を提案した（特願２００５−１９７０７０）。
【０００７】
図２はそのカラー画像補正装置の構成を示すブロック図である。１は第１補正部（画質補正部）であり、入力する各８ビットのＲ，Ｇ，Ｂの画素データ毎に設けられた３つの画質補正用のＬＵＴからなる。２Ａは色範囲検出部であり、入力するＲ，Ｇ，Ｂの画素データが予め決めた色範囲に含まれるとき、検出信号Ｓ０を出力する。３Ａは第２補正部（色補正部）であり、色範囲検出部２Ａが検出信号Ｓ０を出力したとき、第１補正部１から出力する画質補正済みのカラー画素データＲ，Ｇ，Ｂに対して、予め設定された共通の補正係数を乗算して色補正を行う。
【０００８】
ここで、赤味がかった色に対してのみ色補正を加えたいときは、例えば、
Ｒ[7:2]≠０、Ｇ「7:3]＝Ｂ「7:3]＝０              (１)
を色範囲検出部２Ａに色範囲として指定しておく。これは、画素データＲの第３〜第８ビットの内のいずれか１ビット以上が「１」で第１〜第２ビットが任意あり、画素データＧとＢの第４〜第８ビットの全部が「０」で第１〜第３ビットが任意であるときである。
【０００９】
入力カラー画素データＲ，Ｇ，Ｂがこれを満足するときは、色範囲検出部２Ａから検出信号Ｓ０が出力して、第２補正部３Ａにおいて、第１補正部１から出力するカラー画素データＲ，Ｇ，Ｂに対して再度の色補正が行われる。
【００１０】
この色補正の内容としては、例えばカラー画素データＲ，Ｇ，Ｂに対して共通の１を超える補正係数を乗算すれば、赤味がかった画素がより赤っぽい画素となるように色補正が行われる。このときは、純粋な赤の画素のみを対象とする場合と比較して、色範囲検出部２Ａに設定された色範囲の画素を補正の対象とするので、より現実味の高い色補正が行われる。逆に、１未満の補正係数を乗算すれば赤味が薄くなるような補正が行われる。
【００１１】
このように、予め指定した色範囲に含まれる色を表すカラー画素データＲ，Ｇ，Ｂが入力されたとき、その画素データを補正して所望の色補正を行うことができる。このため、任意の色補正が可能であり、かつ、１個の色を指定して色補正を行う場合と比べて、より実際に即した色補正を実現することが可能となる。
【特許文献１】特開２００３−２８８０６０号公報
【特許文献２】特開平７−３２２０９６号公報
【発明の開示】
【発明が解決しようとする課題】
【００１２】
ところが、図２で説明したカラー画像補正装置では、前記指定した色範囲に隣接する色範囲では色補正が行われないので、色補正の後では、指定した色範囲に含まれる色とそれに隣接する色との間に色段差が生じる。また、前記指定した色範囲に無彩色又はこれに近い色範囲が含まれる場合は、当該無彩色又はこれに近い色の場合に、色補正によって着色が行われる。
【００１３】
本発明の目的は、特定の色範囲に含まれるカラー画素データについて色補正を行う際に、色段差が生ぜず、あるいは無彩色に着色が行われないようにしたカラー画像補正方法および補正装置を提供することである。
【課題を解決するための手段】
【００１４】
上記目的を達成するために、請求項１にかかる発明のカラー画像補正方法は、入力するカラー画素データの画質補正を行い、該画質補正の前又は後のカラー画素データで決まる色が特定の色範囲にあるとき、前記画質補正済みのカラー画素データを再補正して色補正を行うカラー画像補正方法であって、前記画質補正の前又は後のカラー画素データで決まる色が前記特定の色範囲にあるときに、第１の再補正を行い、前記特定の色範囲に隣接する色範囲にあるときに、前記第１の再補正に比較して補正効果が小さい第２の再補正を行うことを特徴とする。
請求項２にかかる発明のカラー画像補正方法は、入力するカラー画素データの画質補正を行い、該画質補正の前又は後のカラー画素データで決まる色が特定の色範囲にあるとき、前記画質補正済みのカラー画素データを再度補正して色補正を行うカラー画像補正方法であって、前記画質補正の前又は後の前記カラー画素データで決まる色が無彩色又はこれに近い色範囲であるときは、前記特定の色範囲にあるときであっても、前記再補正を行わないことを特徴とする。
請求項３にかかる発明のカラー画像補正装置は、入力するカラー画素データの画質補正を行う第１補正部と、該第１補正部の入力側又は出力側のカラー画素データを入力して該カラー画素データで決まる色が特定の色範囲に含まれるとき第１の検出信号を出力する色範囲検出部と、該色範囲検出部が前記第１の検出信号を出力したとき前記第１補正部から出力するカラー画素データを補正する第２補正部とを備えるカラー画像補正装置であって、前記色範囲検出部は、さらに、前記第１補正部の入力側又は出力側のカラー画素データで決まる色が前記特定の色範囲に隣接するとき第２の検出信号を出力し、前記第２補正部は、前記色範囲検出部が前記第１の検出信号を出力したときに、前記第１補正部から出力するカラー画素データに第１の再補正を行い、前記色範囲検出部が前記第２の検出信号を出力したとき、前記第１の再補正よりも補正効果の小さい第２の再補正を行うことを特徴とする。
請求項４にかかる発明のカラー画像補正装置は、入力するカラー画素データの画質補正を行う第１補正部と、該第１補正部の入力側又は出力側のカラー画素データを入力して該カラー画素データで決まる色が特定の色範囲に含まれるとき第１の検出信号を出力する色範囲検出部と、該色範囲検出部が前記第１の検出信号を出力したとき前記第１補正部から出力するカラー画素データを補正する第２補正部とを備えるカラー画像補正装置であって、前記色範囲検出部は、さらに、前記第１補正部の入力側又は出力側のカラー画素データで決まる色が無彩色又はこれに近い色範囲に含まれるとき、第３の検出信号を出力し、前記第２補正部は、前記色範囲検出部が前記第１の検出信号を出力したときであっても、前記色範囲検出部が前記第３の検出信号を出力したときには、前記第２補正部による再補正を行わないことを特徴とする。
【発明の効果】
【００１５】
本発明によれば、画質補正の前又は後のカラー画素データで表される色が特定の色範囲に隣接する色範囲に含まれるときは、該特定の色範囲に含まれるときに行われる再補正よりも補正効果の小さい再補正が行われるので、色段差の発生を防止できる。また、前記特定の色範囲に無彩色が含まれる場合は色補正が行われないので、当該無彩色が着色されることを防止できる。
【発明を実施するための最良の形態】
【００１６】
図１は本発明の１つの実施例のカラー画像補正装置の構成を示すブロック図である。入力する各８ビットのＲ，Ｇ，Ｂの画素データ毎に設けられた３つの画質補正用のＬＵＴからなる第１補正部（画質補正部）１は、前記した図２で説明したものと同じである。
【００１７】
２は色範囲検出部であり、入力するＲ，Ｇ，Ｂのカラー画素データが、予め決めた色範囲に含まれるとき検出信号Ｓ１を出力する第１検出部２１、該予め決めた色範囲に隣接する色範囲に含まれるとき検出信号Ｓ２を出力する第２検出部２２、該予め決めた色範囲に含まれていて且つ無彩色又はそれに近い色範囲のとき検出信号Ｓ３を出力する第３検出部２３、および検出信号Ｓ１，Ｓ２、Ｓ３に応じて補正係数を選択して出力する選択回路２４からなる。
【００１８】
選択回路２４は、検出信号Ｓ１が入力するときは補正係数Ａ１を出力する。この補正係数Ａ１は、色味を強める場合は１を超える値、弱める場合は１未満の値である。また、検出信号Ｓ２が入力するときは、補正係数Ａ１よりも１に近い補正係数Ａ２を出力する。この補正係数Ａ２は、補正係数Ａ１が１を超える値のときは１を超え且つ補正係数Ａ１より小さな値、１未満の値のときは１未満で且つ補正係数Ａ１より大きな値である。つまり、補正係数Ａ２は補正係数Ａ１よりも補正効果の小さい補正係数であり、例えば、Ａ２＝Ａ１／２である。さらに、検出信号Ｓ３が入力されたときは、同時に検出信号Ｓ１が入力されるけれども、補正係数Ａ１はマスクして、補正係数Ａ３（＝１）を出力する。
【００１９】
３は第２補正部（色補正部）であり、前記色範囲検出部２の選択回路２４から出力する補正係数Ａ１，Ａ２，Ａ３のいずれかによって、第１補正部１から出力する画質補正済みのカラー画素データＲ，Ｇ，Ｂに対して、乗算して色補正を行う。このとき、補正係数Ａ３が出力したときは、Ａ３＝１であるので、実際は乗算をしない。
【００２０】
ここで、赤味がかった色に対してのみ色補正を加えたいときは、例えば、色範囲として、色範囲検出部２の第１の検出部２１に、
Ｒ[7:2]≠０、Ｇ「7:3]＝Ｂ「7:3]＝０              (２)
を指定する。これは、画素データＲの第３〜第８ビットの内のいずれか１ビット以上が「１」で第１〜第２ビットが任意あり、画素データＧとＢの第４〜第８ビットの全部が「０」で第１〜第３ビットが任意であるときであり、赤味の色範囲を示す。
【００２１】
また、第２の検出部２２に、
Ｒ[7:2]≠０、Ｇ「7:3]＝Ｂ「7:3]＝１              (３)
を指定する。これは、画素データＲの第３〜第８ビットの内のいずれか１ビット以上が「１」で第１〜第２ビットが任意あり、画素データＧとＢの第４ビットが「１」で第５〜第８ビットが「０」で第１〜第３ビットが任意であるときであり、赤味の色範囲に隣接する色範囲を示す。
【００２２】
また、第３の検出部２３に、
Ｒ[7:3]＝Ｇ「7:3]＝Ｂ「7:3]                      (４)
を指定する。これは、画素データＲ，Ｇ，Ｂの第４〜第８ビットが同一で第１〜第３ビットが任意であるときであり、ほぼ無彩色を示す。これは、前記式(２)に含まれる色範囲でもある。
【００２３】
以上により、入力するカラー画素データが式(２)を満足するときは、第１検出部２１から検出信号Ｓ１が出力し、選択回路２４から補正係数Ａ１が出力し、第２補正部３において、第１補正部１の出力カラー画素データＲ，Ｇ，Ｂに対して補正係数Ａ１の乗算が行われるので、赤味色が強められあるいは弱められたカラー画素データＲ，Ｇ，Ｂが、その第２補正部３から出力する。
【００２４】
また、入力するカラー画素データが式(３)を満足するときは、第２検出部２２から検出信号Ｓ２が出力し、選択回路２４から補正係数Ａ２が出力し、第２補正部３において、第１補正部１の出力カラー画素データＲ，Ｇ，Ｂに対して補正係数Ａ２の乗算が行われるので、式(２)で表される色範囲に隣接する色範囲の色が若干補正される。この補正は、検出信号Ｓ１が入力したときに赤味色が強められるときはそれより若干少なく強められ、弱められるときはそれより若干少なく弱められ、これによって、式(２)で表される色範囲の補正後の色と他の色との色段差が緩和される。
【００２５】
さらに、入力カラー画素データが式(４)を満足するとき、つまり無彩色又はこれに近い色のときは、第３検出部２３から検出信号Ｓ３が出力する。従って、第１検出部２１から検出信号Ｓ１が出力したとしても、選択回路２４からは補正係数Ａ３が出力し、このときは第１補正部１の出力カラー画素データＲ，Ｇ，Ｂに対して乗算は行われない。よって、無彩色又はこれに近い色が着色されることが防止される。
【００２６】
なお、以上では、色範囲検出部２が、第１補正部１への入力カラー画素データＲ，Ｇ，Ｂの色範囲を検出していたが、第１補正部１から出力するカラー画素データＲ，Ｇ，Ｂの色範囲を検出しても良い。
【００２７】
また、補正係数Ａ１，Ａ２は、全部のカラー画素データＲ，Ｇ，Ｂに共通としたが、互いに異ならせても良いことは勿論である。この場合は、色変換の意味合いが強くなる。
【００２８】
また、補正係数Ａ１，Ａ２，Ａ３は、第２補正部３に検出信号Ｓ１，Ｓ２，Ｓ３を入力させ、ここで生成して乗算を行うようにしても良い。
【００２９】
また、以上では、第２補正部３が補正係数Ａ１，Ａ２をカラー画素データＲ，Ｇ，Ｂに対して乗算することにより色補正を行う場合について説明したが、ある補正値をカラー画素データＲ，Ｇ，Ｂに共通にあるいは異ならせて加算あるいは減算してもよい。
【図面の簡単な説明】
【００３０】
【図１】本発明の実施例のカラー画像補正装置のブロック図である。
【図２】本発明の背景としたカラー画像補正装置のブロック図である。
【符号の説明】
【００３１】
１：第１補正部（画質補正部）
２，２Ａ：色範囲検出部、２１：第１検出部、２２：第２検出部、２３：第３検出部、２４：選択部
３，３Ａ：第２補正部（色補正部）
【図１】
2008153846.tif 000003
【図２】
2008153846.tif 000004